(57)【要約】【課題】  複数の見守り対象者の生活のイベント情報を識別して取得することができ、緊急時にも対応可能なようにプライバシーを保護することができる生活見守りシステムを提供する。【解決手段】  生活者１０３は装着型生体情報検出センサ２を装着する。生活者検出センサなどのセンサ１〜４は、生活者１０３の生活イベントを検出したときには、装着型生体情報検出センサ２から生活者ＩＤを取得する。ホームサーバ５は、これらのセンサ１〜４から送信される情報に基づき、生活者ＩＤ付のイベント情報を生成し、その情報をセンタサーバ７の生活者イベントＤＢ７２０に蓄積する。ホームサーバ５は、生活者１０３の入力操作に基づき、閲覧許可情報を生成し、センタサーバ７へ送信する。また、緊急時の閲覧許可情報を作成する。センタサーバ７は、ＤＢ閲覧端末８に対し、その閲覧許可情報を参照して、生活者イベントＤＢ７２０を提供する。【選択図】      図１
2006146827.tif 000002
【特許請求の範囲】
【請求項１】
少なくとも一人の生活者が生活する居宅内に設置され、前記生活者の所在位置を検出する生活者検出センサと、前記生活者に装着され、少なくとも一つの生体情報を検出するとともに生活者ＩＤを出力する生体情報検出センサと、前記生活者検出センサおよび前記生体情報検出センサに接続され、前記生活者の行動のイベント情報を収集するホームサーバと、前記ホームサーバにネットワークを介して接続され、前記生活者の行動のイベント情報を蓄積する生活者イベントＤＢを備えたセンタサーバと、前記センタサーバにネットワークを介して接続され、前記生活者イベントＤＢに蓄積された情報を閲覧するＤＢ閲覧端末とからなる生活見守りシステムにおける生活見守り方法であって、
前記ホームサーバが、前記生活者検出センサおよび前記生体情報検出センサの出力情報に基づき前記生活者ＩＤ付きイベント情報を生成し、前記生成した前記生活者ＩＤ付きイベント情報を前記センタサーバへ送信するステップと、
前記ホームサーバが、前記生成した前記生活者ＩＤ付きイベント情報に基づき、前記生活者の異常状態を検出し、前記検出した前記生活者の異常状態の情報を前記センタサーバへ送信するステップと、
前記センタサーバが、前記ホームサーバから送信された前記生活者ＩＤ付きイベント情報と前記生活者の異常状態の情報とを受信し、前記受信した前記生活者ＩＤ付きイベント情報と前記生活者の異常状態の情報とを前記生活者イベントＤＢへ蓄積するステップと、
前記センタサーバが、前記ＤＢ閲覧端末から前記生活者イベントＤＢの閲覧要求情報と閲覧者ＩＤとを受信したときには、前記閲覧要求情報が指示する前記生活者イベントＤＢの情報のうち、前記閲覧者ＩＤごとにあらかじめ設定されている閲覧許可情報の範囲内の情報を、前記ＤＢ閲覧端末へ送信するステップと
を備えることを特徴とする生活見守り方法。
【請求項２】
前記ホームサーバが、前記生活者によって入力される情報に基づき前記閲覧者ＩＤごとに前記閲覧許可情報を設定し、前記設定した前記閲覧許可情報を前記センタサーバへ送信するステップと、
前記センタサーバが、前記ホームサーバから送信された前記閲覧許可情報を受信し、前記受信した前記閲覧許可情報に基づき自らが保持する前記閲覧許可情報を変更するステップと
を、さらに、備えることを特徴とする請求項１に記載の生活見守り方法。
【請求項３】
前記センタサーバが、前記ホームサーバから送信された前記生活者の異常状態の情報を受信した場合には、前記受信した前記生活者の異常状態への対応の緊急度を判定し、その緊急度が所定の緊急度よりも高かったときには、前記異常状態の情報を含む情報を所定のＤＢ閲覧端末へ送信するとともに、前記閲覧許可情報を変更するステップ
を、さらに、備えることを特徴とする請求項１または請求項２に記載の生活見守り方法。
【請求項４】
前記ホームサーバが、さらに、前記居宅内に設置された第２の生体情報検出センサに接続され、前記第２の生体情報検出センサの出力情報に基づき前記生活者の行動のイベント情報を生成すること
を特徴とする請求項１ないし請求項３のいずれか一項に記載の生活見守り方法。
【請求項５】
前記ホームサーバが、さらに、前記居宅内に設置された環境異常検出センサに接続され、前記環境異常検出センサの出力に基づき、前記居宅内の環境異常を検出した場合には、前記検出した環境異常の情報を前記生活者の異常状態の情報として前記センタサーバへ送信すること
を特徴とする請求項１ないし請求項４のいずれか一項に記載の生活見守り方法。
【請求項６】
少なくとも一人の生活者が生活する居宅内に設置され、前記生活者の所在位置を検出する生活者検出センサと、前記生活者に装着され、少なくとも一つの生体情報を検出するとともに生活者ＩＤを出力する生体情報検出センサと、前記生活者検出センサおよび前記生体情報検出センサに接続され、前記生活者の行動のイベント情報を収集するホームサーバと、前記ホームサーバにネットワークを介して接続され、前記生活者の行動のイベント情報を蓄積する生活者イベントＤＢを備えたセンタサーバと、前記センタサーバにネットワークを介して接続され、前記生活者イベントＤＢに蓄積された情報を閲覧するＤＢ閲覧端末とからなる生活見守りシステムであって、
前記ホームサーバが、
前記生活者検出センサおよび前記生体情報検出センサの出力情報に基づき前記生活者の行動の前記生活者ＩＤ付きイベント情報を生成し、前記生成した前記生活者ＩＤ付きイベント情報を前記センタサーバへ送信し、
前記生成した前記生活者ＩＤ付きイベント情報に基づき、前記生活者の異常状態を検出し、前記検出した前記生活者の異常状態の情報を前記センタサーバへ送信し、
前記センタサーバが、
前記ホームサーバから送信された前記生活者ＩＤ付きイベント情報と前記生活者の異常状態の情報とを受信し、前記受信した前記生活者ＩＤ付きイベント情報と前記生活者の異常状態の情報とを前記生活者イベントＤＢへ蓄積し、
前記ＤＢ閲覧端末から前記生活者イベントＤＢの閲覧要求情報と閲覧者ＩＤとを受信したときには、前記閲覧要求情報が指示する前記生活者イベントＤＢの情報のうち、前記閲覧者ＩＤごとにあらかじめ設定されている閲覧許可情報の範囲内の情報を、前記ＤＢ閲覧端末へ送信すること
を特徴とする生活見守りシステム。
【請求項７】
請求項６に記載の生活見守りシステムであって、さらに、
前記ホームサーバが、前記生活者によって入力される情報に基づき前記閲覧者ＩＤごとに前記閲覧許可情報を設定し、前記設定した前記閲覧許可情報を前記センタサーバへ送信し、
前記センタサーバが、さらに、前記ホームサーバから送信された前記閲覧許可情報を受信し、前記受信した前記閲覧許可情報に基づき自らが保持する前記閲覧許可情報を変更すること
を特徴とする生活見守りシステム。
【請求項８】
請求項６または請求項７に記載の生活見守りシステムであって、さらに、
前記センタサーバが、前記ホームサーバから送信された前記生活者の異常状態の情報を受信した場合には、さらに、前記受信した前記生活者の異常状態への対応の緊急度を判定し、その緊急度が所定の緊急度よりも高かったときには、前記異常状態の情報を含む情報を所定のＤＢ閲覧端末へ送信するとともに、前記閲覧許可情報を変更する
ことを特徴とする生活見守りシステム。
【請求項９】
前記ホームサーバが、さらに、前記居宅内に設置された第２の生体情報検出センサに接続され、前記第２の生体情報検出センサの出力情報に基づき前記生活者の行動のイベント情報を生成すること
を特徴とする請求項６ないし請求項８のいずれか一項に記載の生活見守りシステム。
【請求項１０】
前記ホームサーバが、さらに、前記居宅内に設置された環境異常検出センサに接続され、前記環境異常検出センサの出力に基づき、前記居宅内の環境異常を検出した場合には、前記検出した環境異常の情報を前記生活者の異常状態の情報として前記センタサーバへ送信すること
を特徴とする請求項６ないし請求項９のいずれか一項に記載の生活見守りシステム。
【発明の詳細な説明】
【技術分野】
【０００１】
本発明は、高齢者などが生活する居宅における生活者の生活状況の情報を収集し、その収集した情報を別居家族などに提供する生活見守り方法および生活見守りシステムに関する。
【背景技術】
【０００２】
現在、人口の高齢化が進行しており、高齢者が一人または二人で生活する家庭が増加してきている。このような高齢者に成人した子供がいても、その子供は別居していることが多い。高齢者は、病気もし易く、ちょっとしたことでけがなどをすることも多いので、その子供の多くは、別居している親の生活状況をきめ細かく把握し、高齢な親の病気や事故などに備えたいと思っている。
【０００３】
一方、ネットワーク技術とディジタル技術の発展によって、多くの家庭内にインターネットに接続されたパソコンが普及し、さらには家庭内ネットワークが張られ、いまや、テレビや冷蔵庫などもその家庭内ネットワークを介してパソコンに接続されるようになってきた。また、簡単に取り扱える血圧計や体重計などの健康機器が一般家庭にかなり普及しており、これらの健康機器もパソコンに接続できるようになってきている。
【０００４】
以上の状況を背景に、パソコンや健康機器、家庭内ネットワーク、インターネットなどを用いて、例えば、一人暮らしの高齢者や要介護者の生活の様子を、遠隔地の家族やその家族から依頼を受けた福祉サービスセンタのオペレータが見守ることができる見守りシステムが開発され、実用に供されつつある。このような見守りシステムによって、家族や福祉サービスセンタのオペレータは、見守り対象者の生活の様子をつぶさに見ることができるようになった。
【０００５】
ところが、見守り対象者側からみれば、見守りシステムがより詳細な生活の情報を取得することができるようになればなるほど、見守り対象者側が秘密にしておきたい生活情報であっても、のぞき見られることになる。そこで、特許文献１には、見守りシステムが取得した情報のうち閲覧可能な情報の項目を、閲覧者ごとに設定することによって見守り対象者のプライバシを保護しようとする見守りシステムの例が開示されている。
【特許文献１】特開２００２−１０９６６７号公報（段落００１３〜段落００２４、図２）
【発明の開示】
【発明が解決しようとする課題】
【０００６】
しかしながら、特許文献１に開示されている見守りシステムにおいては、見守り対象者が一人暮らしの高齢者や要介護者であることを暗黙裡に前提としているために、見守り対象者が、例えば、二人暮らしであるような場合には、見守り対象者をそれぞれ識別してその生活情報を取得することができない。
【０００７】
また、閲覧者ごとの閲覧可能な情報の項目設定は、見守り対象者やその家族の依頼のもとに福祉サービスセンタのオペレータが行うとしているので、見守り対象者は、その設定を勝手に変更することはできない。見守り対象者が要介護者であるような場合には、これでもよいかもしれない。しかし、見守り対象者がまだ元気であり、見守りシステムが介護の手段というより生活の様子を知らせる通信手段のように用いられる場合には、見守り対象者は、メールの宛先を決めるように自分自身の手で閲覧者ごとに閲覧可能な情報の項目を決定したいと考えるのが自然である。
【０００８】
また、閲覧者ごとに閲覧可能な情報の項目設定をした場合、緊急時には、逆に、不都合もある。例えば、見守りシステムにより何らかの緊急事態が見出されたとき、例えば、福祉サービスセンタのオペレータが必要な情報を閲覧できなければ、オペレータはその対策を処置することができない。特許文献１に開示されている見守りシステムでは、緊急時に閲覧可能な情報の項目を変更するようなことは特に行われていない。
【０００９】
以上の従来技術の状況に鑑み、本発明の目的は、見守り対象者が複数の場合であっても、それぞれの見守り対象者を識別して生活情報を取得することが可能なようにし、また、見守り対象者自身が自らの生活情報の提供を許可する相手と提供情報の項目とを設定することができるようにし、さらには、緊急時には、いったん設定された情報提供の項目を広げるように変更できるようにした生活見守り方法および生活見守りシステムを提供することにある。
【課題を解決するための手段】
【００１０】
前記目的を達成するために、本発明では、生活見守りシステムを、少なくとも一人の生活者が生活する居宅内に設置され、生活者の所在位置を検出する生活者検出センサと、生活者に装着され、少なくとも一つの生体情報を検出するとともに生活者ＩＤを出力する生体情報検出センサと、生活者検出センサおよび生体情報検出センサに接続され、生活者の行動のイベント情報を収集するホームサーバと、ホームサーバにネットワークを介して接続され、生活者の行動のイベント情報を蓄積する生活者イベントＤＢ（Data Base）を備えたセンタサーバと、センタサーバにネットワークを介して接続され、生活者イベントＤＢに蓄積された情報を閲覧するＤＢ閲覧端末とによって構成するようにした。そして、そのホームサーバが、生活者検出センサおよび生体情報検出センサの出力情報に基づき生活者の行動の前記生活者ＩＤ付きイベント情報を生成し、その生成した生活者ＩＤ付きイベント情報をセンタサーバへ送信し、また、その生成した生活者ＩＤ付きイベント情報に基づき、生活者の異常状態を検出し、検出した前記生活者の異常状態の情報をセンタサーバへ送信するようにした。さらに、センタサーバが、ホームサーバから送信された生活者ＩＤ付きイベント情報と生活者の異常状態の情報とを受信し、その受信した生活者ＩＤ付きイベント情報と生活者の異常状態の情報とを生活者イベントＤＢへ蓄積し、ＤＢ閲覧端末から生活者イベントＤＢの閲覧要求情報と閲覧者ＩＤとを受信したときには、閲覧要求情報が指示する生活者イベントＤＢの情報のうち、閲覧者ＩＤごとにあらかじめ設定されている閲覧許可情報の範囲内の情報を、ＤＢ閲覧端末へ送信するようにした。
【００１１】
本発明によれば、見守り対象者である生活者が生活者ＩＤを出力する生体情報検出センサを身に着けるので、居宅内に複数の生活者が暮らしていても、ホームサーバは、その複数の生活者を識別した生活者のイベント情報（生活者ＩＤ付きイベント情報）を取得することができる。そして、その生活者ＩＤ付きイベント情報は、ホームサーバからセンタサーバへ送信され、センタサーバの生活者イベントＤＢに蓄積される。センタサーバは、ＤＢ閲覧端末からの生活者イベントＤＢの閲覧要求に際し、閲覧者ＩＤごとにあらかじめ設定されている閲覧許可情報を参照して、その閲覧許可情報の範囲内の情報しかＤＢ閲覧端末へ送信しない。そのため、生活者イベントＤＢに蓄積された情報は、不用意に閲覧されることがなくなるので、見守り対象者のプライバシが保護されることになる。
【００１２】
また、本発明では、ホームサーバが、生活者によって入力される情報に基づき、閲覧者ＩＤごとに閲覧許可情報を設定し、その設定した閲覧許可情報をセンタサーバへ送信し、センタサーバが、ホームサーバから送信された閲覧許可情報を受信し、その受信した閲覧許可情報に基づき自らが保持する閲覧許可情報を変更するようにした。すなわち、センタサーバの閲覧許可情報を、生活者、つまり、見守り対象者自身が設定することができるので、そのプライバシは、見守り対象者自らが思うように保護することができる。
【００１３】
また、本発明では、センタサーバが、ホームサーバから送信された生活者の異常状態の情報を受信した場合には、その受信した生活者の異常状態への対応の緊急度を判定し、その緊急度が所定の緊急度よりも高かったときには、異常状態の情報を含む情報を所定のＤＢ閲覧端末へ送信するとともに、閲覧許可情報を変更するようにした。すなわち、本発明によれば、生活者、つまり、見守り対象者に何らかの緊急事態が発生した場合には、閲覧許可情報を変更することにより、通常は、閲覧者が閲覧できない情報であっても閲覧できるようにすることができる。そのため、閲覧者は、緊急時には、より多くの情報を取得することができるので、緊急事態に対して対応しやすくなる。
【発明の効果】
【００１４】
本発明によれば、見守り対象者が複数の場合であっても、それぞれの見守り対象者を識別してその生活情報を取得することが可能になる。また、見守り対象者自身が自らの生活情報の提供を許可する相手と提供情報の項目とを設定することができるようになる。さらには、緊急時には、より多くの情報を取得することができるようになり、緊急事態に対して対応しやすくなる。
【発明を実施するための最良の形態】
【００１５】
以下、本発明の実施形態について図面を用いて詳しく説明する。
【００１６】
＜全体構成＞
図１は、本発明の実施形態に係る生活見守りシステムの全体の構成を示した図である。図１に示すように、本実施形態に係る生活見守りシステムは、生活者１０３が生活する居宅１００内の各居室１０１に設置された生活者検出センサ１と、生活者１０３自身に装着された装着型生体情報検出センサ２と、居宅の一部に適宜設置された設置型生体情報検出センサ３と、居宅の一部に適宜設置された環境異常検出センサ４と、居宅内に設置され、各センサ１〜４が出力する情報に基づき生活者１０３の生活のイベント情報を取得するホームサーバ５と、生活者１０３の生活のイベント情報をホームサーバ５から取得し、その生活のイベント情報を生活者イベントＤＢ７２０に蓄積するセンタサーバ７と、生活者イベントＤＢ７２０にアクセスして、生活者１０３の生活のイベント情報を取得して表示するＤＢ閲覧端末８とを含んで構成される。
【００１７】
図１において、生活者検出センサ１は、例えば、人感センサを含んで構成され、居宅１００内の各居室１０１や廊下、玄関などに設置される。そして、その人感センサにより、生活者１０３の所在位置を検出する。また、装着型生体情報検出センサ２は、例えば、腕時計型の脈拍センサであり、主として生活者１０３の安否に係る情報を取得する。また、設置型生体情報検出センサ３は、例えば、体重計や血圧計であり、主として生活者１０３の健康に係る情報を取得する。また、環境異常検出センサ４は、例えば、煙センサやガス漏れセンサであり、居宅１００内外における環境の異常を検出する。
【００１８】
これらの各センサ１〜４とホームサーバ５とは、ホームネットワーク５０により接続されており、相互の間で情報の送受信を行うことができる。また、ホームサーバ５とセンタサーバ７とは、ネットワーク６により接続されており、相互の間で情報の送受信を行うことができる。また、センタサーバ７とＤＢ閲覧端末８とは、ネットワーク６により接続されており、相互の間で情報の送受信を行うことができる。
【００１９】
なお、本実施形態においては、ＤＢ閲覧端末８は、例えば、携帯電話機によって構成され、その場合には、ＤＢ閲覧端末８は、携帯電話の基地局６５を介して、ネットワーク６に接続される。このとき、ＤＢ閲覧端末８となる携帯電話機は、メールの着信機能を備えるほか、Ｗｅｂのブラウザ機能とを備えているほうが好ましい。また、Ｗｅｂブラウザ機能を搭載したパソコン、テレビ、ＰＤＡ（Personal Digital Assistant）などもＤＢ閲覧端末８として利用することができる。なお、本実施形態では、センタサーバ７に接続されているセンタ端末７０もＤＢ閲覧端末８として取り扱う。
【００２０】
＜構成の詳細＞
次に、図２〜図４を用いて各センサ１〜４、ホームサーバ５およびセンタサーバ７の構成について詳しく説明する。ここで、図２は、本発明の実施形態に係る生活者検出センサおよび装着型生体情報検出センサの構成を示した図、図３は、本発明の実施形態に係るホームサーバの構成を示した図、図４は、本発明の実施形態に係るセンタサーバの構成を示した図である。
【００２１】
図２に示すように、生活者検出センサ１は、制御部であるＣＰＵ（Central Processing Unit）１１と、半導体メモリなどで構成されたメモリ１２と、人感センサなどで構成されたセンサ部１３と、ホームネットワーク５０に接続されるＨＮＷ（Home Network）インターフェース部１６と、装着型生体情報検出センサ２との間で無線通信をするセンサ−センサ通信部１５と、必要に応じて適宜設けられる表示部１４とを含んで構成される。
【００２２】
ここで、ホームネットワーク５０は、いわゆる家庭内ＬＡＮ（Local Area Network）であり、例えば、有線のイーサネット（登録商標）で構成されていても、IEEE802.11規格の無線ＬＡＮで構成されていてもよい。さらには、その他の仕様の家庭内ＬＡＮであってもよい。また、センサ−センサ通信部１５は、例えば、赤外光による通信部であっても、ＲＦＩＤ（Radio Frequency Identification）タグなどで用いられている微弱無線通信の通信部であっても、ブルートゥース仕様の無線通信部であってもよい。
【００２３】
装着型生体情報検出センサ２は、制御部であるＣＰＵ２１と、半導体メモリなどで構成され、ＩＤ記憶部２２１を含むメモリ２２と、脈拍センサ２３１、加速度センサ２３２、温度センサ２３３などを適宜含んで構成されたセンサ部２３と、生活者検出センサ１との間で無線通信をするセンサ−センサ通信部２５と、ホームサーバ５と通信するための無線ＬＡＮ通信部２６と、必要に応じて適宜設けられる表示部２４とを含んで構成される。
【００２４】
ここで、無線ＬＡＮ通信部２６は、例えば、IEEE802.11規格の無線ＬＡＮに基づく無線通信部であっても、ブルートゥース仕様の無線通信部であっても、さらには他の仕様に基づく無線通信部であってもよい。また、センサ−センサ通信部２５は、生活者検出センサ１のセンサ−センサ通信部１５に対応して、例えば、赤外光による通信部であっても、ＲＦＩＤタグなどで用いられている微弱無線通信の通信部であっても、ブルートゥース仕様の無線通信部であってもよい。なお、ここでは、センサ部２３に生活者１０３の脈拍を計測する脈拍センサ２３１と、体動を検出する加速度センサ３２２と、体温を検出する温度センサ２３３とを設けるとしているが、少なくとも生活者の安否を確認するセンサが設けられていればよく、これらのセンサすべてを設ける必要はない。また、逆に、安否を確認するだけでないその他の高度な生体センサが設けられていても構わない。
【００２５】
設置型生体情報検出センサ３および環境異常検出センサ４の構成は、図示をしていないが、生活者検出センサ１と同様の構成をしており、その相違は、センサ部１３を構成するセンサが異なるだけである。そのセンサの相違により、設置型生体情報検出センサ３および環境異常検出センサ４には多種多様のものがある。例えば、設置型生体情報検出センサ３としては、体重計のほかに、体温計、脈拍計、血圧計、心拍計、心電図計、脳波計、血糖計、尿糖計、活動量計、運動器具に内蔵の消費カロリー計などであってもよい。また、環境異常検出センサ４としては、煙センサやガス漏れセンサのほかに、漏水センサや、地震センサ、泥棒センサなどであってもよい。なお、センサ部１３のセンサが異なれば、当然ながら、制御部としてＣＰＵ１１が処理する内容や表示部１４に表示する内容は異なったものとなる。
【００２６】
次に、図３に示すようにホームサーバ５は、ＣＰＵおよびメモリ（図示せず）からなる情報処理部５１と、ハードディスク記憶装置などからなる補助記憶部５２と、ネットワーク６に接続されたネットワークインターフェース部５３と、ディスプレイ５７やキーボード５８に接続された入出力インターフェース部５４と、ホームネットワーク５０に接続されたＨＮＷインターフェース部５５と、装着型生体情報検出センサ２と通信するための無線ＬＡＮ通信部５６とを含んで構成される。
【００２７】
ここで、情報処理部５１は、各センサ１〜４からホームネットワーク５０などを介して入力される生活者１０３のイベント情報を生成するイベント情報生成処理部５１１、同様に入力される情報に基づき生活者１０３の異常状態情報を生成する異常状態情報生成処理部５１２、ディスプレイ５７やキーボード５８を用いて入力される情報に基づき閲覧許可情報を生成する閲覧許可情報生成処理部５１３などのプログラムを含んで構成される。これらのプログラムの処理内容については、別途、詳しく説明する。
【００２８】
次に、図４に示すようにセンタサーバ７は、ＣＰＵおよびメモリ（図示せず）からなる情報処理部７１と、半導体メモリやハードディスク記憶装置などからなる補助記憶部７２と、ネットワーク６に接続されたネットワークインターフェース部７３と、センタ端末７０に接続される入出力インターフェース部７４とを含んで構成される。
【００２９】
ここで、情報処理部７１は、生活者イベントＤＢ登録処理部７１１、生活者イベントＤＢ閲覧処理部７１２、閲覧許可情報設定処理部７１３、異常状態緊急度判定処理部７１４、緊急時情報提供処理部７１５などのプログラムを含んで構成される。これらのプログラムの処理内容については、別途、詳しく説明する。また、補助記憶部７２は、閲覧者ＩＤ記憶部７２１、閲覧許可情報記憶部７２２、緊急時処置情報記憶部７２３、緊急度判定情報記憶部７２４、生活者イベントＤＢ７２０などを含んで構成される。これらの記憶部に記憶される情報の内容については、後記する。
【００３０】
＜ホームサーバの処理＞
以下、図５〜図９を用い、また、適宜、図１〜図４を参照して、主としてホームサーバ５が実行する処理について説明する。ここで、図５は、本発明の実施形態において、ホームサーバが生活者検出センサから検出データを取得するときの生活者検出センサと装着型生体情報検出センサとホームサーバとの間で行われるデータ送受信の流れを示した図、図６は、ホームサーバにおける異常状態情報生成処理の流れを示した図、図７は、イベント情報および異常状態情報の構成を示した図、図８は、閲覧許可情報生成処理の流れを示した図、図９は、閲覧許可情報の構成を示した図である。
【００３１】
図５に示すように、例えば、人感センサなどを備えた生活者検出センサ１は、人体を検知すると（ステップＳ１０）、装着型生体情報検出センサ２に対して応答を要求する（ステップＳ１１）。その応答要求は、生活者検出センサ１のセンサ−センサ通信部１５（図２参照）から微弱な無線電波や赤外光に乗せて出力される。すると、生活者検出センサ１近傍の生活者１０３が装着している装着型生体情報検出センサ２は、そのセンサ−センサ通信部２５により前記応答要求を受信し（ステップＳ１２）、そのＩＤ記憶部２２１に記憶されている生活者１０３の生活者ＩＤを送信する（ステップＳ１３）。
【００３２】
生活者検出センサ１は、装着型生体情報検出センサ２から送信された生活者ＩＤを受信し（ステップＳ１４）、受信した生活者ＩＤと、自らに割り当てられたセンサＩＤと、自らが検出した検出データとを、ホームネットワーク５０を介してホームサーバ５へ送信する（ステップＳ１５）。
【００３３】
ホームサーバ５は、生活者検出センサ１が送信した生活者ＩＤ、センサＩＤおよび検出データとを受信し（ステップＳ１６）、受信したこれらのデータに基づき、図７（ａ）に示すような生活者１０３のイベント情報を生成する（ステップＳ１７）。そして、ホームサーバ５は、その生成したイベント情報をセンタサーバ７へ送信する（ステップＳ１８）とともに、そのイベント情報に基づき生活者１０３の異常状態を検出する異常状態情報生成処理（詳細後記）を実行する（ステップＳ１９）。
【００３４】
ホームサーバ５は、設置型生体情報検出センサ３や環境異常検出センサ４からも生活者のイベント情報を取得することができる。この場合にも、そのイベント情報を取得する処理の流れは、図５と同様の処理の流れとなる。つまり、図５において、生活者検出センサ１とあるところを設置型生体情報検出センサ３または環境異常検出センサ４と置き換えるだけでよい。
【００３５】
また、装着型生体情報検出センサ２からも生活者のイベント情報を取得することができる。この場合には、装着型生体情報検出センサ２は、そのセンサ部２３の例えば加速度センサ２３２から得られる加速度データに生活者ＩＤとセンサＩＤとを付してホームサーバ５へ送信すればよい。ただし、その送信データは、有線のホームネットワーク５０を経由することはできないので、無線ＬＡＮ通信部２６を介して無線信号に変換され、その無線信号は、ホームサーバ５の無線ＬＡＮ通信部５６で受信される。
【００３６】
以上のようにして、ホームサーバ５は、生活者１０３のイベント情報を生成することができる。ここで、図７を参照してイベント情報の構成について説明する。図７（ａ）に示すように、イベント情報は、生活者ＩＤと、イベントの種別と、イベントの名称と、イベントの発生時刻と、付属データとによって構成される。イベントの種別とは、イベントを種類分けする情報であり、本実施形態では、所在情報、作業情報、状態情報、健康情報などがあるとしている。
【００３７】
ここで、所在情報とは、生活者１０３がどの居室１０１にいるかを判断するためのイベント情報であり、例えば、居室１０１に生活者１０３が入室したとか、居宅１００外へ外出した（玄関ドアなどに設置された人感センサにより検出される）などのイベント情報をいう。また、作業情報とは、生活者１０３の積極的な行動の記録であり、例えば、電灯を点灯した、テレビのスイッチを入れた、電話をかけたなどのイベント情報をいう。また、状態情報とは、睡眠中、入浴中などの生活者１０３の状態を示した情報をいう。また、健康情報とは、居宅内にある健康機器（装着型生体情報検出センサ２および設置型生体情報検出センサ３に相当）を利用して、体重を測定した、血圧を測定した、体温を測定した場合などに得られるイベント情報をいう。
【００３８】
なお、これらのイベント情報には、イベントの名称ごとに種々の付属データが付属する。例えば、健康情報の場合には、体重測定のイベントには、体重６５ｋｇなどのデータが付属し、脈拍測定のイベントには、脈拍数７０回／分などのデータが付属する。また、心電図測定や脳波形測定のイベントには、心電波形データや脳波波形データなどの長いデータが付属することもある。
【００３９】
次に、図６に従い、異常状態情報生成処理の処理の流れについて説明する。ホームサーバ５は、図５のステップＳ１７において生成されたイベント情報に基づき、そのイベントが状態開始のイベントであるか否かを判定し、状態開始のイベントであった場合には（ステップＳ２０でＹｅｓ）、監視タイマをセットする（ステップＳ２１）。また、状態開始のイベントでなかった場合には（ステップＳ２０でＮｏ）、さらに、状態終了のイベントであるか否かを判定し、状態終了のイベントであったときには（ステップＳ２２でＹｅｓ）、監視タイマをクリアする（ステップＳ２３）。そして、ステップＳ２１、ステップＳ２３を実行後、また、ステップＳ２２でＮｏの場合には、その処理をいったん終了する。
【００４０】
ここで、状態開始のイベントとは、例えば、生活者１０３が、浴室へ入った、トイレ室へ入ったなどのイベントであり、状態終了のイベントとは、浴室から出た、トイレ室から出たなどのイベントである。これらのイベントにより、例えば、入浴時間やトイレ時間を計測することができ、それらの時間が異常に長い場合には、異常状態と判定する。本実施形態では、監視タイマが時間計測を行い、監視タイマが所定の時間に達すると、情報処理部５１に対して割り込みを発生させる。
【００４１】
そこで、監視タイマからの割り込みが発生すると（ステップＳ２４）、ホームサーバ５は、再び、異常状態情報生成処理の実行を開始し、前記の状態開始イベントの情報に基づき、異常状態情報（例えば、入浴時間が長過ぎるなどの情報）を生成する（ステップＳ２５）。そして、ホームサーバ５は、その生成した異常状態情報をセンタサーバ７へ送信する（ステップＳ２６）。このとき、異常状態情報は、図７（ｂ）に示すように、生活者ＩＤと、異常状態の名称と、異常状態の発生時刻と、付属データとによって構成される。
【００４２】
以上のように、本実施形態においては、イベント情報および異常状態情報の各々には、生活者ＩＤが付されているので、居宅１００において複数の生活者１０３が生活していたとしても、ホームサーバ５は、その各々の生活者１０３を識別して、そのイベント情報を取得することができる。
【００４３】
なお、生活者ＩＤを持たない来客があった場合には、生活者検出センサ１は、生活者ＩＤを取得することができない。そのような場合には、生活者ＩＤとして来客者用ＩＤを割り当てるようにすればよい。また、留守中などに煙センサなどの環境異常検出センサ４などが作動した場合にも、その環境異常検出センサ４は、生活者ＩＤを取得することができない。このような場合には、生活者ＩＤとして留守ＩＤなどを割り当てるようにすればよい。
【００４４】
次に、図８および図９に従い、閲覧許可情報生成処理について説明する。本実施形態においては、生活者１０３がホームサーバ５を操作して閲覧許可情報を作成する。そこで、生活者１０３は、ホームサーバ５に対し、まず、キーボード５８などから所定のコマンドを入力することにより、閲覧許可情報生成処理のプログラムを起動する。すると、ホームサーバ５は、ディスプレイ５７に閲覧許可情報の作成画面を表示する（ステップＳ３０）。生活者１０３は、その画面を見て必要事項を入力するので、ホームサーバ５は、その閲覧許可情報の入力データを取り込み（ステップＳ３１）、取り込んだ閲覧許可情報をセンタサーバ７へ送信する（ステップＳ３２）。
【００４５】
図９（ａ）は、ある生活者１０３に関する閲覧許可情報の例である。本実施形態においては、その生活者１０３の生活者イベント情報および異常状態情報を、閲覧者ごと、かつ、イベントの種別（図７参照）ごとに設定することができる。そこで、ステップＳ３０においては、例えば、図９（ａ）のような表示がなされるので、生活者１０３は、各閲覧者に対し、その閲覧許可情報を設定すればよい。
【００４６】
ここで、“○”は、閲覧許可、“−”は、閲覧不可を示している。例えば、近くに住んでいる長女にはすべての情報が閲覧できるように設定し、遠くに住んでいる長男には、どの居室１０１にいるかなどの所在情報は閲覧させない設定としている。また、センタのオペレータや隣人に対しては、異常状態情報については閲覧が可能であるが、他の情報についてはプライバシ保護のために閲覧させない設定としている。ただし、隣人に対しては、所在情報を閲覧できる設定にしている。
【００４７】
なお、図９では、閲覧許可の設定をイベントの種別ごと設定するとしているが、さらに、細分化した項目に対して閲覧許可を設定するようにしてもよい。例えば、健康情報については、体重を測定したなどのイベントだけの情報と、そのイベントに付属する、例えば、６５ｋｇなどの付属データとに分けて閲覧許可を設定してもよい。そのほうが、より木目細かにプライバシを保護することができる。また、心電波形などの長大で専門性があるような付属データが付属する場合には、その長大なデータを必要以上に送信することを防ぐことができる。
【００４８】
本実施形態においては、以上のように、生活者１０３自らが自らのイベント情報および異常状態情報の閲覧許可を設定できるようにしている。そのため、生活者１０３を十分に保護することができる。しかしながら、これでは緊急時には不都合が生じる。そのため、本実施形態では、図９（ｂ）に示すように緊急時の閲覧許可情報を準備する。そして、この場合には、ほとんどの情報を閲覧可能なように設定しておく。
【００４９】
この緊急時の閲覧許可情報も、通常時の閲覧許可情報と同様に生活者１０３自らが設定できるようにしておいてもよい。ただし、その場合には、例えば、センタのオペレータに対する閲覧許可情報は、全部閲覧できるように設定し、生活者１０３は、その設定を変更できないとする。
【００５０】
＜センタサーバの処理＞
次に、図１０〜図１３を用い、また、適宜、図１〜図４を参照して、センタサーバ７が実行する処理について説明する。ここで、図１０は、生活者イベントＤＢ閲覧処理部の処理の流れを示した図、図１１は、異常状態緊急度判定処理部および緊急時情報提供処理部の処理の流れを示した図、図１２は、緊急度判定情報の例を示した図、図１３は、緊急時処理情報の例を示した図である。
【００５１】
まず、図４を参照して、センタサーバ７の情報処理部７１の各処理部７１１について説明する。生活者イベントＤＢ登録処理部７１１は、ホームサーバ５から送信される生活者１０３のイベント情報および異常状態情報を受信し、その受信したイベント情報および異常状態情報を生活者イベントＤＢ７２０に登録する処理を実行する。このとき、生活者イベントＤＢ７２０には、イベント情報および異常状態情報は、生活者ＩＤおよびイベントの種別ごとに分類されて登録される。また、閲覧者許可情報設定処理部７１３は、ホームサーバ５から送信される閲覧者許可情報を受信し、その受信した閲覧者許可情報を閲覧許可情報記憶部７２２に設定する処理を実行する。
【００５２】
生活者イベントＤＢ閲覧処理部７１２の処理の流れについては、図１０に従って説明する。まず、ＤＢ閲覧端末８から、ＤＢ閲覧要求情報が送信される（ステップＳ４１）。そこで、センタサーバ７の情報処理部７１は、そのＤＢ閲覧要求情報を受信する（ステップＳ４２）。そのＤＢ閲覧要求情報には、閲覧者ＩＤや閲覧しようとしている生活者ＩＤなどが含まれているので、その閲覧者ＩＤおよび生活者ＩＤに基づき、閲覧許可情報記憶部７２２に記憶されている閲覧許可情報を参照して、その閲覧者が閲覧可能な生活者イベントＤＢ７２０の情報の種別を取得する（ステップＳ４３）。
【００５３】
情報処理部７１は、次に、ステップＳ４３で取得された情報の種別が指示する情報を、生活者イベントＤＢ７２０から取得し（ステップＳ４４）、その取得した生活者イベントＤＢ７２０の情報をＤＢ閲覧端末８へ送信する（ステップＳ４５）。ＤＢ閲覧端末８は、その生活者イベントＤＢ７２０の情報を受信し（ステップＳ４６）、ＤＢ閲覧端末８に付属する表示装置などにその受信した生活者イベントＤＢ７２０の情報を表示する（ステップＳ４７）。このようにして、閲覧者は、指定した生活者のイベント情報を閲覧することができる。
【００５４】
次に、図１１に従って異常状態緊急度判定処理部および緊急時情報提供処理部の処理の流れについて説明する。センタサーバ７の情報処理部７１は、ホームサーバ５から送信される異常状態情報を受信すると（ステップＳ５０）、緊急度判定情報記憶部７２４に記憶されている緊急度判定情報を参照して、受信した異常状態情報の緊急度を判定する（ステップＳ５１）。
【００５５】
ここで、緊急度判定情報の例を図１２に示す。図１２に示すように、例えば、入浴時間が１時間以上であれば、緊急度“１”とし、２時間以上であれば緊急度“２”とし、３時間以上あれば、緊急度“３”とする。なお、ここでは緊急度は３レベルあるとしているが、何レベルあっても構わない。
【００５６】
そして、その緊急度が所定の緊急度よりも高い場合、例えば、緊急度が“３”になった場合には（ステップＳ５２でＹｅｓ）、生活者１０３に緊急事態が発生したと判断して、閲覧許可情報記憶部７２２に記憶されている閲覧許可情報を、緊急時の閲覧許可情報に変更する（ステップＳ５３）。そして、緊急時処置情報記憶部７２３に記憶されている緊急時処理情報に基づき異常状態情報を指定されたＤＢ閲覧端末８へ送信する（ステップＳ５４）。
【００５７】
ここで、緊急時処理情報の例を図１３に示す。図１３に示すように、緊急時には、例えば、長女には緊急であることを通知するメールを、例えば、携帯電話である長女のＤＢ閲覧端末８へ送信する。その場合、そのメールには、異常状態の情報が添付されるが、他の情報は添付されない。そこで、見守り対象の生活者１０３の状態が緊急であることの通知を受けた、例えば、長女は、ＤＢ閲覧端末８によって生活者イベントＤＢ７２０をアクセスし、その生活者１０３の詳しい状況を取得することができる。
【００５８】
また、同様の通知は、センタのオペレータにも送信されるので、オペレータは、通常は閲覧できない生活者のイベント情報を閲覧して、緊急事態の状況を把握して、次の処置、例えば、現場に救援者を派遣するとか、救急車を呼ぶとかの指示を出すことができる。
【００５９】
以上のように、本実施形態によれば、通常時は、見守りの対象である生活者１０３の意のままに閲覧許可情報を設定できるので、生活者１０３のプライバシが保護され、また、緊急時には、その閲覧許可範囲が拡大されたような緊急時の閲覧許可情報が使用されるので、例えば、センタのオペレータが生活者１０３のイベント情報を閲覧できないような不都合を回避することができる。
【図面の簡単な説明】
【００６０】
【図１】本発明の実施形態に係る生活見守りシステムの全体の構成を示した図である。
【図２】本発明の実施形態に係る生活者検出センサおよび装着型生体情報検出センサの構成を示した図である。
【図３】本発明の実施形態に係るホームサーバの構成を示した図である。
【図４】本発明の実施形態に係るセンタサーバの構成を示した図である。
【図５】本発明の実施形態において、ホームサーバが生活者検出センサから検出データを取得するときの生活者検出センサと装着型生体情報検出センサとホームサーバとの間で行われるデータ送受信の流れを示した図である。
【図６】本発明の実施形態に係るホームサーバにおける異常状態情報生成処理の流れを示した図である。
【図７】本発明の実施形態に係るイベント情報および異常状態情報の構成を示した図である。
【図８】本発明の実施形態に係る閲覧許可情報生成処理の流れを示した図である。
【図９】本発明の実施形態に係る閲覧許可情報の構成を示した図である。
【図１０】本発明の実施形態に係る生活者イベントＤＢ閲覧処理部の処理の流れを示した図である。
【図１１】本発明の実施形態に係る異常状態緊急度判定処理部および緊急時情報提供処理部の処理の流れを示した図である。
【図１２】本発明の実施形態に係る緊急度判定情報の例を示した図である。
【図１３】本発明の実施形態に係る緊急時処理情報の例を示した図である。
【符号の説明】
【００６１】
１      生活者検出センサ
２      装着型生体情報検出センサ
３      設置型生体情報検出センサ（第２の生体情報検出センサ）
４      環境異常検出センサ
５      ホームサーバ
６      ネットワーク
７      センタサーバ
８      ＤＢ閲覧端末
５０    ホームネットワーク
６５    基地局
７０    センタ端末
１００  居宅
１０１  居室
１０３  生活者
７２０  生活者イベントＤＢ
【図１】
2006146827.tif 000003
【図２】
2006146827.tif 000004
【図３】
2006146827.tif 000005
【図４】
2006146827.tif 000006
【図５】
2006146827.tif 000007
【図６】
2006146827.tif 000008
【図７】
2006146827.tif 000009
【図８】
2006146827.tif 000010
【図９】
2006146827.tif 000011
【図１０】
2006146827.tif 000012
【図１１】
2006146827.tif 000013
【図１２】
2006146827.tif 000014
【図１３】
2006146827.tif 000015